(57)【要約】【課題】水が電源板部内に侵入することが無く、しかも電源板部の修理等が安全で、容易な空気調和機を提供する。【解決手段】外郭１８ａが左右の側板５、後ろ板８、底板７ならびに天板４で構成され、前面に吸入グリル３と吹出しグリル１が取着された本体１８と、吸入グリル３と吹出しグリル１とを連通する風回路（図示せず）内に配された熱交換器（図示せず）と、熱交換器で熱交換された空気を吹出しグリル１から吹き出すファン１１と、ファン１１を駆動するモーター１０を制御する電源板部１３を備え、電源板部１３を底板７に収納して風回路より隔離するもので、風回路内の吸入抵抗が減り風回路の性能が向上すると共に、水受け皿（図示せず）から凝縮水が漏れてもそれが電源板部１３に進入することが無く、また、吸入グリル３をはずすことなく電源板部１３を引き出して修理等を行うことができる。【選択図】図１
2009198041.tif 000002
【特許請求の範囲】
【請求項１】
外郭が左右の側板、後ろ板、底板ならびに天板で構成され、吸入グリルと吹出しグリルが取着された本体と、前記吸入グリルと前記吹出しグリルとを連通する風回路と、前記風回路内に配された熱交換器と、前記風回路内に配されると共に、前記吸入グリルより室内空気を吸引し、前記熱交換器で熱交換された空気を前記吹出しグリルから吹き出すためのファンと、前記ファンを駆動するモーターと、前記モーターを制御する電源板部を備え、前記電源板部を前記底板に収納して、前記風回路より隔離するようにしたことを特徴とする空気調和機。
【請求項２】
電源板部の前面部分に前記電源板部の故障診断用の表示が見える故障診断表示窓を設けると共に、前記電源板部を、前面より底板に挿入して収納するようにしたことを特徴とする請求項１に記載の空気調和機。
【発明の詳細な説明】
【技術分野】
【０００１】
本発明は、床置型の空気調和機に関するもので、特に、本体風回路構成および電装部の収納設置構成に関するものである。
【背景技術】
【０００２】
従来、この種の空気調和機の風回路構成として、特許文献１に記載されたものが知られている。
【０００３】
以下、その空気調和機の風回路構成について図３、４を参照しながら説明する。
【０００４】
図３は、従来の空気調和機の本体の分解斜視図、図４は、同空気調和機の概略断面図である。
【０００５】
図３、４において、従来の空気調和機の本体１００の前面部には、上部より、吹出しグリル１０１、中部の前面パネル１０２、下部の吸入グリル１０３が設けられており、下部の吸入グリル１０３より吸込んだ空気を、上部の吹出しグリル１０１より室内に吹出す構成となっている。
【０００６】
又、本体１００の外郭１００ａは、側板１０４、１０５、天板１０６、底板１０７、後ろ板１０８から形成されている。
【０００７】
外郭１００ａ内には、風回路構成部品であるエアガイダー１０９、モーター１１０、ファン１１１が設置されている。エアガイダー１０９の上部には、室内熱交換器１１４が高さが最大になるように斜めに設置されており、室内熱交換器１１４の下部に、水受け皿１１５が設置され、さらに前記エアガイダー１０９の前面上部で、しかも水受け皿１１５の下で、且つ前記エアガイダー１０９と吸入グリル１０３との間に電源板１１３が設置されている。
【特許文献１】特開平６−１０１８６６号公報
【発明の開示】
【発明が解決しようとする課題】
【０００８】
しかしながら、上記従来の空気調和機の構造では、以下のような課題を有していた。
【０００９】
本体１００の高さが決定されると、本体１００内に組み込まれるエアガイダー１０９の高さによって、投入できる室内熱交換器１１４の高さが、おのずと決定されてしまうため、本体１００の性能を向上させるためには、本体１００のサイズを高くするか横幅を大きくせざるをえなかった。
【００１０】
又、室内風回路性能を決定する風回路構成が、エアガイダー１０９の前面上部に電源板１１３が配置されているため、吸入抵抗が大きく、風回路の性能を十分に発揮する構成になっていない。このため、風量を増加させて風回路性能を向上させるためには、モーター１１０の大型化が必要となり、コスト増加につながるとともに、騒音値の増加にもつながっていた。
【００１１】
又、電源板１１３が、水受け皿１１５の下に配置されているため、万が一、水受け皿１１５から水が漏れたり、オーバーフローすると、その水が、下の電源板１１３内に浸入し、安全上の問題を引き起こすといった課題があった。
【００１２】
又、従来の空気調和機の構造では、電源板１１３内の修理等の時は、吸入グリル１０３を外す必要があり、ファン１１１が回転している場合は、作業者が危険に晒されるといった課題もあった。
【００１３】
本発明は、前記従来の課題を解決するもので、万が一、水受け皿の水等が漏れたり、オーバーフローしてもその水が、電源板内に侵入することが無く、しかも吸入グリルをはずすことなく電源板部内の修理等が行える空気調和機を提供することを目的とする。
【課題を解決するための手段】
【００１４】
前記従来の課題を解決するために、本発明の空気調和機は、外郭が左右の側板、後ろ板、底板ならびに天板で構成され、吸入グリルと吹出しグリルが取着された本体と、前記吸入グリルと前記吹出しグリルとを連通する風回路と、前記風回路内に配された熱交換器と、前記風回路内に配されると共に、前記吸入グリルより室内空気を吸引し、前記熱交換器で熱交換された空気を前記吹出しグリルから吹き出すためのファンと、前記ファンを駆動するモーターと、前記モーターを制御する電源板部を備え、前記電源板部を前記底板に収納して、前記風回路より隔離するようにしたもので、電源板部を底板に収納して、風回路から隔離しているので、風回路内の吸入抵抗が低減されて、風回路の性能が向上すると共に、熱交換器で発生する凝縮水を受ける水受け皿から、凝縮水が漏れたり、オーバーフローすることがあっても、その凝縮水が電源板部に進入することが無く、また、吸入グリルをはずすことなく電源板部を引き出し修理等が行えるので、火災等とメンテナンス時の２重の安全性を向上させることができる空気調和機を提供することができる。
【発明の効果】
【００１５】
本発明の空気調和機は、電源板部を完全に風回路の外に設置して、吸入抵抗を減らし、均一な空気の吸い込み分布を実現できるため、風回路の性能を十二分に発揮できる。又、熱交換器で生成された凝縮水が、水受け皿から漏れたり、オーバーフローすることがあっても、その凝縮水が電源板部内に浸入することがなく、安全性が向上する。
【発明を実施するための最良の形態】
【００１６】
第１の発明は、外郭が左右の側板、後ろ板、底板ならびに天板で構成され、吸入グリルと吹出しグリルが取着された本体と、前記吸入グリルと前記吹出しグリルとを連通する風回路と、前記風回路内に配された熱交換器と、前記風回路内に配されると共に、前記吸入グリルより室内空気を吸引し、前記熱交換器で熱交換された空気を前記吹出しグリルから吹き出すためのファンと、前記ファンを駆動するモーターと、前記モーターを制御する電源板部を備え、前記電源板部を前記底板に収納して、前記風回路より隔離するようにしたもので、電源板部を底板に収納して、風回路から隔離しているので、風回路内の吸入抵抗が低減されて、風回路の性能が向上すると共に、熱交換器で発生する凝縮水を受ける水受け皿から、凝縮水が漏れたり、オーバーフローすることがあっても、その凝縮水が電源板部に進入することが無く、また、吸入グリルをはずすことなく電源板部を引き出し修理等が行えるので、火災等とメンテナンス時の２重の安全性を向上させることができる空気調和機を提供することができる。
【００１７】
第２の発明は、特に、第１の発明の電源板部の前面部分に前記電源板部の故障診断用の表示が見える故障診断表示窓を設けると共に、前記電源板部を、前面より底板に挿入して収納するようにしたもので、電源板部の故障診断が、故障診断表示窓を通して前面より容易にできると共に、電源板部の修理の際、吸入グリルを開けること無く、電源板部を前方より簡単に底板より引き出せるので、ファンが回転している場合でも、安全に作業ができ、安全性とメンテナンス性が向上する。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における空気調和機の本体の分解斜視図、図２は、同空気調和機の概略断面図である。
【００２０】
図１、２において、本実施の形態における空気調和機の本体１８の外郭１８ａは、側板５、６と、天板４と、前面に開口部７ａを有する底板７と、後ろ板８から構成されており、本体１８の前面には、上から順に、吹出しグリル１と、前面パネル２と、吸入グリル３が取り付けられている。
【００２１】
本体１８の内部には、吸入グリル３と吹出しグリル１とを連通する風回路１７と、風回路１７内に配された熱交換器１４と、風回路１７内に配され、吸入グリル３から室内の空気を吸引し、熱交換器１４で熱交換された空気を吹出しグリル１から吹き出すためのファン１１と、ファン１１を回転駆動するモーター１０と、エアガイダー９と、オリフィス１２と、熱交換器１４から落下する凝縮水を受ける水受け皿１６が配置されている。
【００２２】
１３は、モーター１０などの電気部品を制御する電源板部で、底板７の前面に設けた開口部７ａより底板７内に挿入され、収納されるようになっており、風回路１７より隔離されている。なお、本実施の形態では、開口部７ａは、吸入グリル３より下方に位置しており、修理などのために電源板部１３を底板７から取りだすときに、吸入グリル３を開けなくても良いようになっている。
【００２３】
電源板部１３の正面部には、電源板部１３の故障診断用の表示が見える故障診断表示窓１５が設けられている。
【００２４】
以上のように本実施の形態によれば、風回路１７の吸入部となる吸入グリル３と、エアガイダー９との間に吸入抵抗となるものがないため、均一に室内空気を吸い込むことができるようになり、風回路１７の性能を向上させることができると共に均一に空気を吸い込むので騒音的にも有利な構成となる。
【００２５】
また、熱交換器１４で発生する凝縮水を受ける水受け皿１６から、凝縮水が漏れたり、オーバーフローすることがあっても、電源板部１３が、風回路１７から隔離されているので、その凝縮水が電源板部１３に進入することが無く、安全性も向上するものである。
【００２６】
また、電源板部１３の前面部分に前記電源板部１３の故障診断用の表示が見える故障診断表示窓１５を設けると共に、前記電源板部１３を、前面より底板７に挿入して収納するようにしているので、電源板部１３の故障診断が前面より容易にできると共に、電源板部１３の修理の際、吸入グリル３を開けることなく電源板部１３を簡単に底板７より引き出して、修理作業ができるため、ファン１１等の危険がなく、安全性及びメンテナンス性が向上する。
【産業上の利用可能性】
【００２７】
以上のように、本発明にかかる空気調和機は、本体サイズを変更することなしに風回路の中に設置されていて吸入の吸い込み抵抗となっていた電源板部を、本体の底板に正面より挿入して、風回路から隔離したので、吸入抵抗を低減させて、風回路性能を向上させることができるもので、各種空気調和機に適用できる。
【図面の簡単な説明】
【００２８】
【図１】本発明の実施の形態１における空気調和機の本体の分解斜視図
【図２】同空気調和機の概略断面図
【図３】従来の空気調和機の本体の分解斜視図
【図４】同空気調和機の概略断面図
【符号の説明】
【００２９】
１  吹出しグリル
２  前面パネル
３  吸入グリル
４  天板
５  側板右
６  側板左
７  底板
７ａ  開口部
８  後ろ板
１０  モーター
１１  ファン
１３  電源板部
１４  風回路
１５  故障診断表示窓
１８  本体
１８ａ  外郭
【図１】
2009198041.tif 000003
【図２】
2009198041.tif 000004
【図３】
2009198041.tif 000005
【図４】
2009198041.tif 000006